(57)【要約】発電機（１０ａ）とインバータ（２０ｂ）との間のケーブル（３０）による電気接続を検証する方法を開示する。本方法は、電流検出センサ（４５）を備えるハンドヘルドデバイス（４０）をケーブル（３０）の近傍へ置くことを含む。インバータ−発電機接続ケーブル内に電流シグネチャ（１５０）を発生するために、ハンドヘルドデバイス（４０）からインバータ（２０ｂ）へ電流を変更するコマンドが送信される。電流検出センサ（４５）によってセンサシグネチャが検出され、かつ電流を変更するコマンドによって生じる電流シグネチャ（１５０）と比較される。比較を基礎として検証信号が発生される。本方法は、複数の発電機（１０ａ、１０ｂ、１０ｃ）と複数のインバータ（２０ａ、２０ｂ、２０ｃ）との間の配線プランをコンパイルするために使用されてもよい。【選択図】図１
2013542446.tif 000002
【特許請求の範囲】
【請求項１】
発電機（１０ａ）とインバータ（２０ｂ）との間のケーブル（３０）による電気接続を検証するための方法であって、
電流検出センサ（４５）を備えるハンドヘルドデバイス（４０）をケーブル（３０）の近傍へ置くことと、
前記インバータ（２０ｂ）を前記発電機（１０ａ）と接続するケーブル内に電流シグネチャ（１５０）を発生するために、前記ハンドヘルドデバイス（４０）から前記インバータ（２０ｂ）へ電流を変更するコマンドを送信することと、
前記電流検出センサ（４５）によってセンサシグネチャを検出することと、
前記センサシグネチャと前記電流シグネチャ（１５０）との比較の結果を基礎として検証信号を発生することを含む方法。
【請求項２】
前記電流シグネチャ（１５０）は切換シグネチャ（１６０）を含む
請求項１に記載の方法。
【請求項３】
前記電流シグネチャは前記発電機電流の電流シーケンスシグネチャを含む
請求項１又は２に記載の方法。
【請求項４】
前記電流を変更するコマンドは、発電機の最大電力点のグローバル探索を実行するコマンドを含む
請求項１〜３のいずれか一項に記載の方法。
【請求項５】
前記ハンドヘルドデバイス（４０）によってＧＰＳ座標を決定することをさらに含み、検証信号が成功である場合に前記ＧＰＳ座標は保存される
請求項１〜４のいずれか一項に記載の方法。
【請求項６】
前記電流を変更するコマンドは反復的に送信され、かつ前記センサシグネチャは反復的に検出され、前記ハンドヘルドデバイス（４０）の前記ケーブル（３０）に対する位置合わせは反復毎に変更される
請求項１〜５のいずれか一項に記載の方法。
【請求項７】
前記電流検出センサ（４５）は磁場センサであり、具体的にはホール効果センサである
請求項１〜６のいずれか一項に記載の方法。
【請求項８】
前記電流を変更するコマンドは無線伝送によって送信される
請求項１〜７のいずれか一項に記載の方法。
【請求項９】
前記電流を変更するコマンドは複数のインバータ（２０ａ、２０ｂ、２０ｃ）間のネットワーク（６０）を用いて送信される
請求項１〜８のいずれか一項に記載の方法。
【請求項１０】
前記ハンドヘルドデバイス（４０）は磁場センサを備えるスマートフォンである
請求項１〜９のいずれか一項に記載の方法。
【請求項１１】
前記方法は、複数のインバータ（２０ａ、２０ｂ、２０ｃ）のうちの異なるインバータをアドレス指定して、成功した検証信号が発生されるまで反復される
請求項１〜１０のいずれか一項に記載の方法。
【請求項１２】
成功した検証信号が発生されれば、前記検証された接続に特有のデータが前記インバータ（２０ｂ）から前記ハンドヘルドデバイス（４０）へ送信される
請求項１〜１１のいずれか一項に記載の方法。
【請求項１３】
前記電流を変更するコマンドは複数のインバータへ送信され、前記複数のインバータのうちの各インバータは異なる電流信号を発生する
請求項１〜１２のいずれか一項に記載の方法。
【請求項１４】
請求項１〜１３のいずれか一項に記載の方法を含み、
複数の発電機（１０ａ、１０ｂ、１０ｃ）と複数のインバータ（２０ａ、２０ｂ、２０ｃ）との間の配線プランをコンパイルする方法。
【請求項１５】
電流検出センサ（４５）を備えかつケーブル（３０）の近傍へ置かれるハンドヘルドデバイス（４０）と共用するためのプログラムアプリケーションであって、
前記プログラムアプリケーションが前記ハンドヘルドデバイス（４０）のプロセッサにより実行されると請求項１〜１３のいずれか一項に記載の方法が実行されることを特徴とするプログラムアプリケーション。
【発明の詳細な説明】
【技術分野】
【０００１】
本発明は、発電機とインバータとの間の電気接続を検証するための方法に関する。  
本発明はさらに、複数の発電機を複数のインバータと接続するための配線プランを作成するための方法に関する。  
本発明はさらに、一致するプログラムアプリケーションに関する。
【背景技術】
【０００２】
化石エネルギー源がますます不足しかつますます高価になる昨今、再生エネルギー源からエネルギーを生産する重要性が増している。  
したがって、太陽光発電によって生産される電気エネルギー部分も増大しつつある。  
これに関連して、太陽光発電（ＰＶ）システムは、典型的には、太陽光をＤＣ電流に変換するためのＰＶ発電機と、発生されるＤＣ電流を、送電網への給電に適するＡＣ電流に変換するインバータとを備える。  
高い電力供給を達成するために、複数のＰＶ発電機は、単一または幾つかの集中化されたインバータと接続されるか、複数の、より小型である分散されたインバータと接続される。  
後者の場合、発電機と関連のインバータとの間の配線の平均長さは短縮される。  
一方で、設置または保全要員にとっては、ＰＶ発電機または試験中の配線と関連のインバータとの接続を決定するという問題がしばしば発生する。  
ＰＶシステムの建設中は、システムの配線プランを作成する努力は回避されることが多く、配線または発電機の一意のラベリングは行われない。
【発明の概要】
【発明が解決しようとする課題】
【０００３】
したがって、本発明の１つの目的は、発電機と関連のインバータとの間の電気接続を、設置またはサービススタッフが単純かつ確実に検証するための方法を提供することにある。  
これは、本発明の独立請求項１に記載されている特徴を備える方法によって実現される。  
本発明の特有の実施形態は、従属請求項に記述されている。  
本発明による方法を実施すれば、さらに、複数の発電機および複数のインバータを備える発電システムの配線プランを、システムの建設後に比較的楽に作成することが可能である。
【課題を解決するための手段】
【０００４】
技術者は、発電機とインバータとの間の電気接続を行うケーブルのうちの１つの近傍へハンドヘルドデバイスを配置する。  
続いて、発電機とインバータとの間の発電機電流（即ち、発電機とインバータとの間の接続配線を流れる電流）の電流シグネチャを生成するコマンドがハンドヘルドデバイスにインストールされたソフトウェアアプリケーションによって作成され、かつこのコマンドを実行するためにインバータへ送信される。  
電流シグネチャの生成と並行して、例えばホール効果センサ等の磁場センサである電流センサによってセンサシグネチャが記録される。  
電流センサはハンドヘルドデバイス内に含まれるか、前記デバイスへケーブルによって（例えば、イヤホン／マイクロホンプラグを介して）、またはブルートゥース等の無線伝送によって接続される。  
電流センサの近傍に位置合わせされるケーブルが発電機とインバータとの間の電気接続の一部であって、ケーブル内の電流が電流シグネチャに従って変わるものとすれば、この変動は、電流シグネチャとセンサシグネチャとの間の比較によって検出される。  
この方法では、双方のシグネチャの比較によって、発電機と個々のインバータとの間の電気接続がケーブルを介して存在するかどうかを検証することが可能である。
【０００５】
今日利用可能な様々な携帯電話は、電流センサとして適切である、例えば電子コンパスの一部として適切である磁場センサを備え、かつこれらの携帯電話はさらにデータおよび通信目的で必要とされるコンポーネントを備えることから、本方法を実行するに当たって特別なハードウェアは必要でない場合があり、本方法を実行するためのソフトウェアアプリケーションをプログラムしかつこのアプリケーションを携帯電話にインストールすれば足りる。  
このような携帯電話は一体式のＧＰＳ受信機をさらに備える場合が多く、これにより、記述される本方法を実行する間にハンドヘルドデバイスの位置座標を決定することが可能にされる。
【０００６】
電流シグネチャは、発電機電流をオンおよびオフに切換するコマンドを含んでもよく、または、例えば発電機電流の異なる値間の予め決められた変更シーケンスが発生されるように、実際の発電機電流を第１の値から第２の値へ変更することに適する１つまたは複数のコマンドを含んでもよい。  
ある好適な実施形態において、電流シグネチャを発生するためのコマンドは、発電機最大電力点のグローバル探索を実行するためのコマンドを含む。  
このような探索では、発電機特性に従って発電機電流が変更される結果、本発明による方法で分析されることに適する電流シグネチャが発生されるような発電機の電圧範囲が走査される。  
この方法では、電流シグネチャの発生に起因する発電機電力の一時的損失が部分的または完全に補償される場合がある。
【０００７】
試験中の発電機の電気接続に関連してインバータグループをチェックするに当たって、本方法は、単一のインバータ、またはインバータグループのサブグループの何れによっても実行されることが可能である。  
グループのサブグループへの分離は、本方法が首尾良く単一のインバータを識別する検証信号を発生するまで継続される。  
この方法では、大規模であることが考えられるインバータグループのうちのどのインバータが試験中の発電機へ電気接続されるかの決定に際して数回の試行で足りる。  
したがって、迅速かつ少ない電力低減での決定が可能である。
【０００８】
電気接続の検証に成功した後、個々に識別されたインバータは、ハンドヘルドデバイスへ、実際の発電機電流、発電機電圧または一意のインバータ識別等の前記接続に特有のデータを送信してもよい。  
ハンドヘルドデバイスは、このデータをそのディスプレイに示してもよい。  
この方法で技術者は、複雑な測定を実行する必要なしに、システムの高速かつ正確な情報を取得する場合がある。  
これにより、発電システムの保全は著しく単純化される。
【０００９】
電流シグネチャを発生するためのコマンドの送信は、ケーブル通信または無線接続のような無線通信等、任意の既知のデータ送信方法によって実行されてもよい。  
伝送路は、ハンドヘルドデバイスから個々のインバータへの直接路であってもよいが、ハンドヘルドデバイスから第１のインバータへ延びてさらなるインバータによるグループとのデータ交換ネットワークを形成してもよい。  
この場合、コマンドはネットワークを用いて試験中のインバータへ送信される。  
また、ハンドヘルドデバイスとインターネットとの間にデータ接続を確立することも可能であって、これによりコマンドはさらにインターネットから試験中のインバータへ送信される。
【００１０】
ハンドヘルドデバイスがさらに、例えばＧＰＳ受信機によってそのロケーションを検出することができれば、電流シグネチャを発生する間にハンドヘルドデバイスの位置座標が決定されかつ格納されてもよい。  
この方法では、発電機のおおよそのロケーションを表す情報としてのハンドヘルドデバイスの位置に関する情報を個々のインバータの同一性情報と組み合わせ、かつ組み合わされたこの情報をデータベースに格納することが可能である。  
この方法を複数の発電機によって反復的に実行すれば、発電システムの配線プランは単純かつ確実に作成または検証される場合がある。
【００１１】
本方法の信頼性を高めるために、本方法を試験中の同じインバータを用いて反復しかつ反復間でハンドヘルドデバイスの位置合わせおよび／または方向性を修正することが企図されてもよい。  
ロケーションまたは方向性の修正方法に関する詳細は、ハンドヘルドデバイスにインストールされたアプリケーションによって、例えば図示記号によって技術者へ提示されてもよい。  
異なるロケーションおよび／または方向性の精度を高めるために、ハンドヘルドデバイスは、回転式固定具を備えるクリップ等の締め付け装置を備えてもよい。  
締め付け装置は、電気接続の検証方法を実行する間に、ハンドヘルドデバイスの試験中のケーブルに対するロケーションおよび／または方向性を画定するために使用される。  
アプリケーションは、反復の結果を平均化する場合もあれば、電流シグネチャとセンサシグネチャとの間の比較を実行する最良の調整を選択する場合もある。  
また、検証の信頼性を高めるために、センサシグネチャの信号レベルに応じて、予め決められた異なるシグネチャセットから電流シグネチャを選択することが企図されてもよい。  
場合により、方向性の変化を考慮しかつ／または補償するために、慣性センサ、加速度センサまたはロケーションセンサによってハンドヘルドデバイスの様々な方向性および／またはロケーションが決定されてもよい。
【００１２】
以下、図面によって本発明を説明する。  
図面は単に詳細を例示するために使用されるものであり、よって請求の範囲に記載された発明を限定するためのものではない。
【図面の簡単な説明】
【００１３】
【図１】本発明方法を実行するために必要とされるコンポーネントを有する発電システムを示す略図
【図２】例示的な発電機特性
【図３】例示的な電流シグネチャ
【図４】発明的なプロセスフローを示すフロー図
【発明を実施するための形態】
【００１４】
図１は、各々が個々のケーブルによって複数のインバータ２０ａ、２０ｂ、２０ｃのうちの１つへ接続される複数の発電機１０ａ、１０ｂ、１０ｃを備える発電システム１を示す。  
ケーブルは、発電機１０ａ、１０ｂ、１０ｃによってＤＣ電流として発生される電力を関連のインバータへ伝送するために使用される。  
ハンドヘルドデバイス４０は、電流センサ４５ならびにＧＰＳ受信機４８を備える。  
ハンドヘルドデバイス４０は、例えば、一体式のＧＰＳ受信機ならびに例えば電子コンパスのコンポーネントのような磁場センサを備える所謂スマートフォンであってもよい。  
このような磁場センサによって、磁場の強さおよび方向を測定することができ、これにより、磁場センサの近傍へ置かれるケーブル３０を流れるＤＣ電流を決定することが可能にされる。  
この場合における近傍とは、磁場センサ４５と試験中のケーブル３０との間の、ＤＣ電流によって生じる磁場がケーブル３０のロケーションにおいて他の理由で存在する磁場（地球磁場、永久磁石による磁場または他の電流によって生じる磁場等）から明白に区別されることが可能な距離範囲を指す。  
好ましくは、ケーブルのＤＣ電流によって生じる磁場は、ケーブル３０のロケーションにおける地球磁場を超える。  
この考察から、実際的なアプリケーションでは、１ｍｍから約３ｃｍまでの距離範囲という磁場センサ４５と試験中のケーブル３０との間の距離を導出することができる。  
磁場センサ４５の周りに試験中のケーブル３０を１回または複数回巻き付けることにより、ＤＣ電流によって生じる磁場および延いては測定感度をさらに強化することができる。
【００１５】
本方法を実行するために、その磁場センサ４５を有するハンドヘルドデバイス４０は、発電機１０ａとインバータ２０ｂとの間に検証されるべき電気接続を提供するように想定されるケーブル３０の近傍へ置かれる。  
続いて、ハンドヘルドデバイス４０は、伝送路５０を用いて、電流を変更するコマンドを送信する。  
電流を変更するコマンドは、コマンドを実行するインバータの一意の識別を含む。  
場合により、電流を変更するコマンドはさらに、ハンドヘルドデバイス４３のＧＰＳ受信機４８によって発生される、ハンドヘルドデバイス４０の実際のロケーション、したがって検証されるべき電気接続を提供するケーブル３０のロケーションを表す座標も含む。
【００１６】
伝送路５０は、ケーブル接続だけでなく、ブルートゥース、無線ＬＡＮ、ＵＭＴＳまたは他の無線通信プロトコル等の無線接続も備えてもよい。  
伝送路５０は、ハンドヘルドデバイス４０と電流を変更するコマンドを実行するインバータとの間の直接的なデータ接続であってもよく、または伝送路５０は、複数のインバータ２０ａ、２０ｂ、２０ｃ間に形成されるネットワーク６０を利用する。  
この方法では、ハンドヘルドデバイス４０への直接的なデータ接続のために範囲外に位置決めされるインバータをアドレス指定することが可能である。
【００１７】
電流を変更するコマンドは、試験中のインバータに、前記インバータへ接続される発電機から流れる電流を修正させるコマンドを含んでもよい。  
以下、電流の変動を電流シグネチャと呼ぶ。  
例えば、インバータは、電流を変更するコマンドを実行する間に、電流を一時的または永久的にゼロへ、または予め決められた他の任意の電流値まで低減してもよい。  
この制御は、電流設定点によって、または発電機電圧値の設定等の他の手段によって確立されることが可能である。
【００１８】
図２は、発電機電流１００を発電機電圧１１０の関数として表す発電機特性１４０を示す。  
発電機の実際の動作モードは、作用点１２０によって規定される。  
動作モードの変更は何れも、発電機電流１００の関連する変更を伴って、発電機特性１４０に沿った作用点の変動１３０を引き起こす。
【００１９】
結果として、電流を変更するコマンドは、作用点１２０の発電機特性１４０に従った変化をもたらし、最終的に電流シグネチャ１５０を発生する。  
即ち、図３に示されているように、発電機電流１００は時間軸１９０に沿って変化する。  
この方法では、コマンドを実行する間に発電機電流１００の一時的なオフ切換およびこれに続くオン切換を実行する電流を変更するコマンドは、切換シグネチャ１６０をもたらす。  
電流を変更するコマンドが、コマンド実行中のインバータによる予め決められた電流値シーケンスの設定に繋がれば、異なる形式の電流シグネチャ１５０が発生される。  
この場合、シグネチャは、図示されているように電流シーケンスシグネチャ１７０になってもよい。  
また、電流を変更するコマンドの実行中は、発電機電流１００を一時的または永久的に増加することも企図される。
【００２０】
さらなる実施形態において、電流を変更するコマンドは、発電機の最大電力点を識別するための探索アルゴリズムを実行するコマンドを含んでもよい。  
このような探索においては、発電機の最大電力出力を有する作用点１２０を識別するために、発電機電圧１１０の範囲が走査される。  
したがって、このような探索アルゴリズムも発電機電流、延いては電流シグネチャの一時的な変化を引き起こす。
【００２１】
電流を変更するコマンドによって引き起こされる電流の流れの変動が、ハンドヘルドデバイス４０の電流センサ４５が近傍へ配置されるケーブル３０において実行されれば、電流シグネチャは個々のセンサシグネチャとして測定されてもよい。  
電流シグネチャとセンサシグネチャとを比較すれば、ケーブル３０が発電機と電流を変更するコマンドによりアドレス指定されるインバータ２０ｂとの間の電気接続の一部であるかどうかを検証することが可能である。  
比較が電流シグネチャとセンサシグネチャとの間の十分な識別の度合いを示す場合、ハンドヘルドデバイス４０は、識別の成功を示す検証信号を発生し、そうでなければ、識別の失敗を示す検証信号を発生する、または検証信号は発生されない。  
発生される検証信号は、対応する成功表示をハンドヘルドデバイスのディスプレイに示すために使用されることが可能であり、または、伝送路５０に沿って、アドレス指定されたインバータ２０ｂへ接続されるデータ処理システムへ送信されることが可能である。
【００２２】
複数のインバータが試験中のケーブル３０へ接続される可能性がある限り、検証は、順次的なプロセス部分において実行されてもよく、この場合、各プロセス部分では、試験中のケーブル３０へ接続されるインバータ２０ｂが明らかに識別されるまで単一のインバータまたは部分集合のインバータが使用される。
【００２３】
あるいは、複数の、または全ての潜在的インバータをも同時に、または所定の接合時間期間内に用いて個々の電流シグネチャを発生し、これによりセンサシグネチャを基礎として、どのインバータが試験中のケーブルへ接続されるかを検出することが考慮されてもよい。  
この方法では、識別プロセスは著しく単純化されかつ増進されてもよい。
【００２４】
図４には、本発明の一態様によるプロセスのフロー図が示されている。第１のプロセスステップ２００において、ハンドヘルドデバイス４０はその電流検出センサ４５と共に、試験中のケーブル３０の近傍へ置かれる。  
好ましくは、ハンドヘルドデバイス４０は、ハンドヘルドデバイス４０がケーブル３０との予め画定された距離ならびに予め画定された位置合わせを有することを保証するために固定具を備えてもよい。  
場合により、ハンドヘルドデバイス４０は続いて、電流検出センサ４５によって電流シグネチャを検出するための条件が満たされていること、または電流検出センサ４５が電流シグネチャの追加的な信号成分を検出するに足る感度を提供するには大きすぎる信号を発生するかどうかを確実にするために、校正測定を利用してもよい。  
必要であれば、ハンドヘルドデバイス４０は、校正測定の結果を基礎として、電流検出センサ４５の十分な、または最適な感度を達成するための距離または位置合わせの修正方法に関する指示を発生する。
【００２５】
第２のプロセスステップ２１０において、ハンドヘルドデバイス４０は電流を変更するコマンドを単一のインバータまたはインバータグループへ送信する。  
先に述べたように、ハンドヘルドデバイス４０の通信機能が使用される。  
電流を変更するコマンドは、コマンドを実行する時点でインバータへ接続される発電機の発電機電流を修正するように構成され、これにより、個々の発電機とインバータとの間の電力伝送ケーブル上の電流シグネチャが発生される。
【００２６】
第３のプロセスステップ２２０において、電流検出センサ４５は、電流検出センサの測定値シーケンスを含むセンサシグネチャを発生する。  
この時間中、ハンドヘルドデバイス４０の距離および位置合わせは、センサシグネチャの検出に影響を与えないように一定に保たれる。
【００２７】
第４のプロセスステップ２３０では、センサシグネチャが電流シグネチャと比較され、かつこの比較の結果を基礎として検証信号が発生される。  
既知のアルゴリズムを基礎として、形状および同期性に関する両信号間の整合度が決定される。  
決定された整合度が予め決められた値を超えていれば、両シグネチャの同一性が認識され、成功を示す検証信号が発生される。  
この信号には、成功をハンドヘルドデバイス４０のディスプレイ上へグラフィックに表示すること、または成功を音響的にシグナリングすることが含まれてもよい。  
あるいは、または追加的に、比較の結果は（場合によりハンドヘルドデバイス４０の実際のＧＰＳ座標と共に）、その通信コンポーネントによりハンドヘルドデバイス４０へ接続されるさらなるデバイスへ、具体的には、電流シグネチャを発生するようにアドレス指定されたインバータ２０ｂへも送信されてもよい。
【００２８】
検証の信頼性を高めるために、ハンドヘルドデバイスは、電流を変更するコマンドの反復的送信およびセンサシグネチャの反復的検出を実行するように構成されてもよい。  
反復の間で、ハンドヘルドデバイスは、適切なディスプレイによってユーザに、ハンドヘルドデバイス４０の位置合わせおよび／または距離を変更するように要求してもよい。  
この場合、電流シグネチャとセンサシグネチャとの比較は反復される単一の比較の組み合わせとして実行されてもよく、これに続いて検証信号が発生される。
【００２９】
ある実施形態において、関連のインバータ２０ｂは続いてデータ値を、具体的には検証されている電気接続に関するデータ値をハンドヘルドデバイス４０へ送信してもよく、かつハンドヘルドデバイスはこれらのデータ値をそのディスプレイ上に示してもよい。  
このようなデータ値には、発電機の実際の電流、電圧または電力の値、一定期間にわたって決定されかつ保存されるインバータ識別、その位置合わせ、エラーメッセージまたはパフォーマンス値等のロジスティックデータまたは他の値が含まれてもよい。  
この方法では、サービススタッフは発電システム１の状態に関する結論を単純、迅速かつ確実に引き出してもよく、かつ必要とされる保全対策を決定してもよい。  
本発明による方法を実行しかつ発電システム１の診断を実行するに当たって、従来のスマートフォンであってもよいハンドヘルドデバイス４０および適切なプログラムアプリケーションの他にさらなるコンポーネントは不要である。
【００３０】
発電機とインバータとの間の検証された電気接続について決定されるデータにより、発電システムの配線プランは、本発明による方法の結果と、発電機とインバータとの電気接続に関する既存の配線プランからの情報とを比較すること、または加えることによってコンパイルされてもよく、即ち生成され、拡大され、または補正されてもよい。  
また、検証中にＧＰＳ座標が決定されている場合、この配線プランは、複数の発電機の空間配置プランを含む場合もある。
【００３１】
当業者は、本明細書の記述を用いて示された実施形態のさらなる組み合わせを認識し、かつ説明されたプロセスおよび方法および使用されたコンポーネントの添付の請求の範囲に包含されるものと考えられる他の変形および同等物を企図するであろう。  
したがって、本発明の範囲は、添付の請求の範囲の文言によってのみ限定されるべきものである。
【符号の説明】
【００３２】
１  発電システム
１０ａ−ｃ  発電機
２０ａ−ｃ  インバータ
３０  ケーブル
４０  ハンドヘルドデバイス
４５  電流検出センサ
４８  ＧＰＳ受信機
５０  伝送路
６０  ネットワーク
１００  発電機電流
１１０  発電機電圧
１２０  作用点
１３０  作用点変動
１４０  発電機特性
１５０  電流シグネチャ
１６０  切換シグネチャ
１７０  電流シーケンスシグネチャ
１９０  時間軸
２００，２１０，２２０，２３０  プロセスステップ
【図１】
2013542446.tif 000003
【図２】
2013542446.tif 000004
【図３】
2013542446.tif 000005
【図４】
2013542446.tif 000006
【国際調査報告】
2013542446.tif 000007
2013542446.tif 000008